(57)【要約】【課題】薄型ディスプレイの着脱が極めて簡単に行うことができ、薄型ディスプレイと壁面との間隙や、薄型ディスプレイを並置する場合でも、薄型ディスプレイ相互間の間隙を極めて少なくした状態で装着可能となる薄型ディスプレイ用壁掛け装置を提供する。【解決手段】壁面に固定するベース盤１０と、薄型ディスプレイの背面に予め装着する装着枠体２０とを設ける。ベース盤１０の前面に設けた支持杆１２に、装着枠体２０の後面上下に設けた係止ピンを着脱自在に連結する。支持杆１２の差込凹部１２Ｃに差し込んだ下部係止ピン２２Ｂを係止部３１が自動ロックすると共に、係止部３１を下方に引き下げる解除具３２にて係止部３１のロック状態を開放するように設ける。【選択図】図６
2006053212.tif 000002
【特許請求の範囲】
【請求項１】
壁面に固定するベース盤と、薄型ディスプレイの背面に予め装着する装着枠体とから成り、ベース盤の前面に設けた支持杆に、装着枠体の後面上下に設けた係止ピンを着脱自在に連結することを特徴とする薄型ディスプレイ用壁掛け装置。
【請求項２】
前記ベース盤は、壁面に固定する固定枠と、該固定枠の前面左右に一対設けられ上下に延びる長手両側縁に一対の側板を設けた支持杆とを有し、該支持杆の側板に、前記装着枠体の上部に設けた上部係止ピンを係止する係止凹部と、装着枠体の下部に設けた下部係止ピンを固定する固定具とを設けた請求項１記載の薄型ディスプレイ用壁掛け装置。
【請求項３】
前記装着枠体は、薄型ディスプレイの背面にネジ止めする枠体と、該枠体の後面に設けられ前記ベース盤の支持杆に重合する重合杆とを有し、該重合杆の上部に上部係止ピンを設けて前記支持杆の側板上端に設けた係止凹部に係止すると共に、重合杆の下部に下部係止ピンを設けて前記支持杆の側板前面に設けた差込凹部に挿入し、該差込凹部に挿入された下部係止ピンを前記固定具にて自動ロックするように設けた請求項１又は２記載の薄型ディスプレイ用壁掛け装置。
【請求項４】
前記固定は、スプリングの付勢力にて、常に上方へ押圧付勢される係止部と、係止状態の係止部を解除する際に、該係止部を下方に引き下げる解除具とを備え、前記支持杆の差込凹部に差し込んだ下部係止ピンを係止部が自動ロックすると共に、係止部を下方に引き下げる解除具にて係止部のロック状態を開放するように設けた請求項２又は３記載の薄型ディスプレイ用壁掛け装置。
【発明の詳細な説明】
【技術分野】
【０００１】
本発明は、薄型のテレビモニターやコンピュータディスプレイ（以下、薄型ディスプレイと称する）を、壁面に設置する際に使用する薄型ディスプレイ用壁掛け装置に関する。
【背景技術】
【０００２】
従来、この種の薄型ディスプレイ壁掛け装置は、壁面に装着したベースボックス等に、薄型ディスプレイの背面に装着した取付具をネジ止めして固定するものが使用されている。
【０００３】
例えば、特許文献１に記載のスタンド装置によると、予め壁面に装着した取付金具に、薄型ディスプレイ背面の取付部をネジ止めするものである。すなわち、パイプ状のフレーム１内にフレーム２を挿通し、フレーム１の側部に前方に突出する取付金具を設け、下端にＬ字型の床面載置部を設け、フレーム２の上端に木部取付部を設ける。そして、スタンド装置の設置作業は、薄型ディスプレイ背面の取付部にフレーム１の取付金具を取付け、各フレームを略垂直にしながら壁際に立て、木部取付部を天井の桟あるいは鴨居等にネジ止めするものである。
【特許文献１】特開平１０−２９２８９８号公報
【発明の開示】
【発明が解決しようとする課題】
【０００４】
ところが前述の如く壁面に固定した取付金具に薄型ディスプレイをネジ止めする構成では、壁面と薄型ディスプレイとの間や、薄型ディスプレイの両側に並置する際の薄型ディスプレイ相互の間に、ネジ止め作業を行うためのスペースを要するものになっている。
【０００５】
この結果、薄型ディスプレイを壁面に密着した状態で装着しようとしても、壁面と薄型ディスプレイとの間に必要な作業スペースを確保する為に、壁面から大きく突出した状態にならざるを得ないものであった。
【０００６】
また、薄型ディスプレイを並置する場合も、薄型ディスプレイ相互間に作業スペースを確保しなければならないので、薄型ディスプレイを密着して並置することが不可能になっていた。
【０００７】
更に、壁面に装着した取付金具と薄型ディスプレイとをネジ止めする構造では、薄型ディスプレイを着脱するたびにネジを外し、再度取付ける際に再びネジ止めする作業になる。このため、薄型ディスプレイの着脱作業に多くの手間を要するものであった。
【０００８】
また、壁面に装着した取付金具等に薄型ディスプレイをネジ止めする構造では、薄型ディスプレイの支持角度の調整や、取付け位置を調整する作業も困難になっていた。
【０００９】
しかも、薄型ディスプレイの画面が大きくなるほど重量が増すので、大型の薄型ディスプレイを装着する場合はこの重量を支えながら作業することになっている。このため、取付け作業が極めて困難になり、大型の薄型ディスプレイの落下に伴なう事故も多くなっている。
【００１０】
そこで本発明は上述の課題を解消すべく創出されたもので、大型の薄型ディスプレイでも着脱が極めて簡単に行うことができ、しかも、薄型ディスプレイと壁面との間隙や、薄型ディスプレイを並置する場合でも、薄型ディスプレイ相互間の間隙を極めて少なくした状態で装着可能となる薄型ディスプレイ用壁掛け装置の提供を目的とするものである。
【課題を解決するための手段】
【００１１】
本発明の第１の手段は、壁面に固定するベース盤１０と、薄型ディスプレイの背面に予め装着する装着枠体２０とから成り、ベース盤１０の前面に設けた支持杆１２に、装着枠体２０の後面上下に設けた係止ピンを着脱自在に連結することにある。
【００１２】
第２の手段におけるベース盤１０は、壁面Ｐに固定する固定枠１１と、該固定枠１１の前面左右に一対設けられ上下に延びる長手両側縁に一対の側板１２Ａを設けた支持杆１２とを有し、該支持杆１２の側板１２Ａに、前記装着枠体２０の上部に設けた上部係止ピン２２Ａを係止する係止凹部１２Ｂと、装着枠体２０の下部に設けた下部係止ピン２２Ｂを固定する固定具３０とを設ける。
【００１３】
第３の手段の装着枠体２０は、薄型ディスプレイの背面にネジ止めする枠体２１と、該枠体２１の後面に設けられ前記ベース盤１０の支持杆１２に重合する重合杆２２とを有し、該重合杆２２の上部に上部係止ピン２２Ａを設けて前記支持杆１２の側板１２Ａ上端に設けた係止凹部１２Ｂに係止すると共に、重合杆２２の下部に下部係止ピン２２Ｂを設けて前記支持杆１２の側板１２Ａ前面に設けた差込凹部１２Ｃに挿入し、該差込凹部１２Ｃに挿入された下部係止ピン２２Ｂを前記固定具３０にて自動ロックするように設けている。
【００１４】
第４の手段の固定３０は、スプリングの付勢力にて、常に上方へ押圧付勢される係止部３１と、係止状態の係止部３１を解除する際に、該係止部３１を下方に引き下げる解除具３２とを備え、前記支持杆１２の差込凹部１２Ｃに差し込んだ下部係止ピン２２Ｂを係止部３１が自動ロックすると共に、係止部３１を下方に引き下げる解除具３２にて係止部３１のロック状態を開放するように設けたことを課題解消のための手段とする。
【発明の効果】
【００１５】
本発明の請求項１により、壁面に固定するベース盤１０と、薄型ディスプレイの背面に予め装着する装着枠体２０とから成り、ベース盤１０の前面に設けた支持杆１２に、装着枠体２０の後面上下に設けた係止ピンを着脱自在に連結するので、大型の薄型ディスプレイでも着脱が極めて簡単且つ確実に行うことができる。
【００１６】
また、請求項２乃至４に記載のベース盤１０、装着枠体２０、固定具３０により、薄型ディスプレイと壁面との間隙や、並置する場合の薄型ディスプレイ相互間の間隙を極めて少なくした状態で装着可能となった。
【００１７】
このように、本発明によると、大型の薄型ディスプレイでも着脱が極めて簡単且つ確実に行うことができ、しかも、薄型ディスプレイと壁面との間隙や、並置する場合の薄型ディスプレイ相互間の間隙を極めて少なくした状態で装着可能となるなどといった優れた効果を奏するものである。
【発明を実施するための最良の形態】
【００１８】
本発明の最良の形態は、壁面に固定するベース盤１０と、薄型ディスプレイの背面に予め装着する装着枠体２０とを設ける。ベース盤１０の前面に設けた支持杆１２に、装着枠体２０の後面上下に設けた係止ピンを着脱自在に連結する。支持杆１２の側板１２Ａに、前記装着枠体２０の上部に設けた上部係止ピン２２Ａを係止する係止凹部１２Ｂと、装着枠体２０の下部に設けた下部係止ピン２２Ｂを固定する固定具３０とを設ける。重合杆２２の上部に上部係止ピン２２Ａを設けて前記支持杆１２の側板１２Ａ上端に設けた係止凹部１２Ｂに係止すると共に、重合杆２２の下部に下部係止ピン２２Ｂを設けて前記支持杆１２の側板１２Ａ前面に設けた差込凹部１２Ｃに挿入する。支持杆１２の差込凹部１２Ｃに差し込んだ下部係止ピン２２Ｂを係止部３１が自動ロックすると共に、係止部３１を下方に引き下げる解除具３２にて係止部３１のロック状態を開放するように設けることで、当初の目的を達成するものである。
【実施例】
【００１９】
本発明吊り装置の基本構成は、ベース盤１０、装着枠体２０、固定具３０からなるものである（図５参照）。
【００２０】
ベース盤１０は、壁面Ｐに固定する部材で、壁面Ｐに当接する固定枠１１と支持杆１２とからなる（図１、図２参照）。図示の固定枠１１は、矩形状を成し、壁面Ｐにネジ止めするネジ孔１１Ａを固定枠１１の上下に開穿している（図２（イ）参照）。一方、支持杆１２は、固定枠１１の前面左右に一対設けられた帯状を成す部材である（図１（イ）参照）。この支持杆１２の上下に延びる長手両側縁に一対の側板１２Ａを設けている（図２（ロ）参照）。そして、この側板１２Ａの上端に係止凹部１２Ｂを設けると共に、側板１２Ａの前面下部に差込凹部１２Ｃを設けている（図１（ロ）参照）。係止凹部１２Ｂは、前記装着枠体２０の上部に設けた上部係止ピン２２Ａを係止する部分であり、一方、差込凹部１２Ｃは、装着枠体２０の下部に設けた下部係止ピン２２Ｂを差し込む部分である。
【００２１】
装着枠体２０は、薄型ディスプレイＱの背面に装着する部材で、薄型ディスプレイにネジ止めする枠体２１と、該枠体２１の後面左右に設けた一対の重合杆２２とから成る（図３、図４参照）。枠体２１は、前記ベース盤１０の固定枠１１よりも大きな矩形状を成し、薄型ディスプレイＱの背面にネジ止めするネジ孔２１Ａをこの枠体２１全体に開穿している（図３（イ）参照）。一方、重合杆２２は、前記ベース盤１０の支持杆１２に重合する略帯状を成している（図４（イ）参照）。図示例では、この重合杆２２の長手両側縁に一対の側板２２Ｃを設けている（図３（ロ）参照）。そして、この側板２２Ｃの上部に上部係止ピン２２Ａを設けて前記支持杆１２の側板１２Ａ上端に設けた係止凹部１２Ｂに係止する。また、側板２２Ｃの前面下部に下部係止ピン２２Ｂを設けて前記支持杆１２の側板１２Ａ前面に設けた差込凹部１２Ｃに挿入するものである。図示例の上部係止ピン２２Ａと下部係止ピン２２Ｂとは、側板２２Ｃを横に貫通するボルトを使用している（図４（ロ）参照）。また、図中、符号２３は挿入ガイドであり、この挿入ガイド２３を支持杆１２の側板１２Ａ間に挿入することで、上部係止ピン２２Ａや下部係止ピン２２Ｂの装着作業を容易にすることができる（図３（ロ）参照）。
【００２２】
固定具３０は、差込凹部１２Ｃに挿入された下部係止ピン２２Ｂを自動ロックする（図５参照）。この固定３０は、係止部３１と解除具３２とを有する。係止部３１は、スプリング（図示せず）の付勢力にて、常に上方へ押圧付勢される部材で、係止部３１の側面にテーパー（図示せず）を設けている。そして、下部係止ピン２２Ｂを係止部３１のテーパーの付いた側面に接触させてスプリングを圧縮し、前記支持杆１２の差込凹部１２Ｃの奥まで差し込むと、係止部３１がスプリングの付勢力で持ち上がり、下部係止ピン２２Ｂを自動ロックするものである。一方、解除具３２は、係止状態の係止部３１を解除する際に使用する部材で、解除具３２を下方に引き下げると係止部３１が下方に引き下がり、係止部３１のロック状態を開放する。
【００２３】
本発明装置の装着方法は次の通りである。まず、ベース盤１０を壁面Ｐにネジ止めして固定する（図１（ロ）参照）。次に、薄型ディスプレイＱの背面に装着枠体２０をネジ止めして固定する（図３（ロ）参照）。この状態で装着枠体２０における重合杆２２に設けた上部係止ピン２２Ａを、ベース盤１０における支持杆１２に設けた係止凹部１２Ｂに係止せしめる。続いて、装着枠体２０における重合杆２２に設けた下部係止ピン２２Ｂを、ベース盤１０における支持杆１２に設けた差込凹部１２Ｃに挿入すると、この下部係止ピン２２Ｂを固定具３０が自動的にロックするものである（図６、図７参照）。
【００２４】
このように本発明は、薄型ディスプレイＱを持って係止凹部１２Ｂに上部係止ピン２２Ａを係止すると、支持杆１２と重合杆２２とが簡単に重合すると共に、下部係止ピン２２Ｂを固定具３０が自動的にロックし、ベース盤１０と装着枠体２０とが一体化する（図６（ロ）参照）。したがって、薄型ディスプレイＱと壁面Ｐとの間には、このベース盤１０と装着枠体２０との厚み以外に、作業用のスペースを確保する必要がなくなった。
【００２５】
更に、装着状態の薄型ディスプレイＱを取外す場合は、固定具３０の解除具３２を下方に引いて下部係止ピン２２Ｂのロック状態を解除してベース盤１０から装着枠体２０を取外す作業となり、僅かな隙間から固定具３０の解除を行うことができる（図６（ロ）参照）。
【００２６】
尚、本発明における図示例の各構成は、本発明の一実施例に過ぎず、ベース盤１０、装着枠体２０、固定具３０における各構成部材の形状、寸法等の設計変更、形態の変更など、現在知られている技術範囲で自由に変更することができるものである。
【図面の簡単な説明】
【００２７】
【図１】本発明におけるベース盤を示し、（イ）は正面図、（ロ）は側面図である。
【図２】本発明におけるベース盤を示し、（イ）は背面図、（ロ）は下面図である。
【図３】本発明における装着枠体を示し、（イ）は正面図、（ロ）は側面図である。
【図４】本発明における装着枠体を示し、（イ）は背面図、（ロ）は下面図である。
【図５】本発明における固定具を示す正面図である。
【図６】本発明における装着枠体とベース盤との連結状態を示し、（イ）は正面図、（ロ）は側面図である。
【図７】本発明における装着枠体とベース盤との連結状態を示し、（イ）は背面図、（ロ）は下面図である。
【符号の説明】
【００２８】
Ｐ  壁面
Ｑ  薄型ディスプレイ
１０  ベース盤
１１  固定枠            １１Ａ  ネジ孔
１２  支持杆            １２Ａ  側板
１２Ｂ  係止凹部
１２Ｃ  差込凹部
２０  装着枠体
２１  枠体              ２１Ａ  ネジ孔
２２  重合杆            ２２Ａ  上部係止ピン
２２Ｂ  下部係止ピン
２２Ｃ  側板
２３  ガイド
３０  固定具
３１  係止部
３２  解除具
【図１】
2006053212.tif 000003
【図２】
2006053212.tif 000004
【図３】
2006053212.tif 000005
【図４】
2006053212.tif 000006
【図５】
2006053212.tif 000007
【図６】
2006053212.tif 000008
【図７】
2006053212.tif 000009